(57)【特許請求の範囲】
【請求項１】
用紙を収納する複数のトレイに対して各々当該用紙の属性を定義した、所定期間だけ有効な第１の用紙属性情報を記憶する記憶手段と、
第１のユーザを認証する第１の認証手段と、
前記記憶手段に記憶された、前記第１の認証手段により認証された第１のユーザの指示により選択されたトレイに対して定義された第１の用紙属性情報と同一の用紙の属性を定義した第２の用紙属性情報を、前記第１のユーザの指示により指定された、前記複数のトレイの何れか１つのトレイに対する用紙属性情報として生成する第１の生成手段と、
前記第１のユーザの指示に応じて、前記第１の生成手段により生成された前記第２の用紙属性情報が定義する用紙の属性を変更する用紙属性変更手段と、
前記用紙属性変更手段により用紙属性が変更された前記第２の用紙属性情報をどのユーザに開示するかを設定する開示設定手段と、
を備えた情報処理装置。
【請求項２】
第２のユーザを認証する第２の認証手段と、
前記第２の認証手段により認証された第２のユーザが前記開示設定手段により設定されたユーザに含まれる場合に、前記第２のユーザの指示に基づいて、前記第２の用紙属性情報と定義する用紙の属性が同一である又は変更された第３の用紙属性情報を生成する第２の生成手段と、
前記第２の生成手段により生成された第３の用紙属性情報に従って画像を形成する制御を行う画像形成制御手段と、を更に備えた
請求項１に記載の情報処理装置。
【請求項３】
コンピュータを請求項１又は請求項２に記載の情報処理装置の各手段として機能させるための情報処理プログラム。
【請求項４】
用紙に画像を形成する画像形成装置と、
前記第３の用紙属性情報に従って画像を形成するように前記画像形成装置を制御する請求項２に記載の情報処置装置と、
を備えた画像形成システム。
【発明の詳細な説明】
【技術分野】
【０００１】
本発明は、情報処理装置及びプログラム並びに画像形成システムに関する。
【背景技術】
【０００２】
従来、利用者が指定した用紙の属性に基づいて可能な限りその指定に沿った用紙を有するトレイを選択する情報処理装置が知られている（特許文献１を参照）。
【０００３】
特許文献１の情報処理装置は、それぞれ異なる用紙が用意された複数のトレイに対応して、それぞれの用紙の属性を記憶している。この情報処理装置は、利用者が用紙の属性として、例えば、トレイ、用紙名称、用紙サイズ、用紙タイプ等を設定したとき、用紙の属性の各項目を予め定めた優先順位に基づいてトレイに用意された用紙の属性と照合していき、属性が一致したトレイの用紙を選択する。また、属性が一致しないとき、優先順位に基づいて属性が多く一致するトレイの用紙を選択するため、利用者が指定した用紙の属性に可能な限りその指定に沿った用紙を選択する。
【０００４】
また、ユーザ毎に印刷装置の種々の設定値を保存することでセキュリティを保ちつつ再設定の煩わしさを無くす印刷装置が知られている（特許文献２を参照）。
【０００５】
特許文献２の印刷装置は、ユーザの認証機能を備え、登録された認証ユーザによるログインの際に、印刷装置の使用条件を決める設定（操作画面の背景、文字、キーの色、用紙サイズ、紙種類、トレイ指定など）を記憶部に保存し、次回のログインの際に前記記憶部から前記設定を読み込み、読み込まれた設定によって印刷装置を動作させる。
【先行技術文献】
【特許文献】
【０００６】
【特許文献１】特開平１１−４８５８０号公報
【特許文献２】特開２００６−２３１７６０号公報
【発明の概要】
【発明が解決しようとする課題】
【０００７】
本発明は、管理権限のないユーザでも所定期間だけ有効な用紙属性情報を利用することができる情報処理装置及びプログラム並びに画像形成システムを提供することを目的とする。
【課題を解決するための手段】
【０００８】
請求項１の発明である情報処理装置は、用紙を収納する複数のトレイに対して各々当該用紙の属性を定義した、所定期間だけ有効な第１の用紙属性情報を記憶する記憶手段と、第１のユーザを認証する第１の認証手段と、前記記憶手段に記憶された、前記第１の認証手段により認証された第１のユーザの指示により選択されたトレイに対して定義された第１の用紙属性情報と同一の用紙の属性を定義した第２の用紙属性情報を、前記第１のユーザの指示により指定された、前記複数のトレイの何れか１つのトレイに対する用紙属性情報として生成する第１の生成手段と、前記第１のユーザの指示に応じて、前記第１の生成手段により生成された前記第２の用紙属性情報が定義する用紙の属性を変更する用紙属性変更手段と、前記用紙属性変更手段により用紙属性が変更された前記第２の用紙属性情報をどのユーザに開示するかを設定する開示設定手段と、を備えている。
【０００９】
請求項２の発明である情報処理装置は、請求項１に記載の情報処理装置であって、第２のユーザを認証する第２の認証手段と、前記第２の認証手段により認証された第２のユーザが前記開示設定手段により設定されたユーザに含まれる場合に、前記第２のユーザの指示に基づいて、前記第２の用紙属性情報と定義する用紙の属性が同一である又は変更された第３の用紙属性情報を生成する第２の生成手段と、前記第２の生成手段により生成された第３の用紙属性情報に従って画像を形成する制御を行う画像形成制御手段と、を更に備えている。
【００１０】
請求項３の発明は、コンピュータを請求項１又は請求項２に記載の情報処理装置の各手段として機能させるための情報処理プログラムである。
【００１１】
請求項４の発明である画像形成システムは、用紙に画像を形成する画像形成装置と、前記第３の用紙属性情報に従って画像を形成するように前記画像形成装置を制御する請求項２に記載の情報処置装置と、を備えている。
【発明の効果】
【００１２】
請求項１及び３の発明によれば、所定期間だけ有効な用紙属性情報を変更して所定のユーザに限定して開示することができる。
【００１３】
請求項２及び４の発明によれば、第１のユーザによって開示された用紙属性情報を第２のユーザが画像形成時に利用することができる。
【図面の簡単な説明】
【００１４】
【図１】本発明の実施の形態に係る画像形成システムの構成例を示す概略図である
【図２】情報処理装置の構成例を示す概略図である。
【図３】ストック情報及びテンポラリストック情報の構成例を示す概略図である。
【図４】テンポラリストック情報の作成ルーチンを示すフローチャートである。
【図５】個人認証ウインドウを示す図である。
【図６】ストックプロパティウインドウを示す図である。
【図７】新しいテンポラリストック情報を作成するためのセットアップウインドウを示す図である。
【図８】作成されたテンポラリストック情報を表示する個人認証ウインドウを示す図である。
【図９】テンポラリストック情報の開示ルーチンを示すフローチャートである。
【図１０】テンポラリストック情報を複製する場合のストックプロパティウインドウを示す図である。
【図１１】コピーウインドウを示す図である。
【図１２】開示範囲設定ウインドウを示す図である。
【図１３】ストックプロパティウインドウを示す図である。
【図１４】テンポラリストック情報の開示ルーチンの実行により構成されたテーブルを示す図である。
【図１５】テンポラリストック情報を使用する設定を行うためのストックプロパティウインドウを示す図である。
【図１６】テンポラリストック情報を使用する設定を行うためのコピーウインドウを示す図である。
【図１７】既にテンポラリストック情報が存在することを示すポップアップウインドウを示す図である。
【図１８】テンポラリストック情報が上書きされた状態を示すストックプロパティウインドウを示す図である。
【発明を実施するための形態】
【００１５】
以下、本発明の好ましい実施の形態について図面を参照しながら詳細に説明する。
【００１６】
図１は、本発明の実施の形態に係る画像形成システムの構成例を示す概略図である。画像形成システム１００は、用紙に対して印刷を実行する画像形成装置２と、ネットワーク３を介して画像形成装置２に接続され当該画像形成装置２を制御する情報処理装置１と、を備えている。
【００１７】
情報処理装置１は、ＣＰＵ（Ｃｅｎｔｒａｌ Ｐｒｏｃｅｓｓｉｎｇ Ｕｎｉｔ）やＨＤＤ（Ｈａｒｄ Ｄｉｓｃ Ｄｒｉｖｅ）等の電子部品を有し、画像を形成するための情報を処理する演算装置１Ａと、ＬＣＤ（Ｌｉｑｕｉｄ Ｃｒｙｓｔａｌ Ｄｉｓｐｌａｙ）パネル等により構成されて画像を表示する表示部１Ｂと、を有する。
【００１８】
画像形成装置２は、それぞれ異なる用紙を装置内に供給する複数のトレイ２０Ａ〜２０Ｄを有し、装置内の印刷機構を使用することで印刷を実行し印刷物２００を出力する。なお、情報処理装置１は、画像形成装置２に内蔵される構成であってもよい。
【００１９】
図２は、情報処理装置１の構成例を示す概略図である。情報処理装置１は、ＣＰＵ等から構成され各部を制御するとともに各種のプログラムを実行する制御部１０と、ＨＤＤやフラッシュメモリ等の記憶装置から構成され情報を記憶する記憶部１１と、ネットワーク３を介して外部と通信する通信部１２とを有する。また、情報処理装置１は、表示部１Ｂに接続されており、表示部１Ｂに様々なウインドウを表示させる。
【００２０】
制御部１０は、記憶部１１に記憶されている用紙属性設定プログラムを実行することで、認証部１０Ａと、用紙属性設定部１０Ｂと、印刷ジョブ監視部１０Ｃと、一時用紙属性削除部１０Ｄと、表示制御部１０Ｅとを動作させる。
【００２１】
認証部１０Ａは、情報処理装置１にログインする者が管理者であるか又は管理者以外のユーザであるかを認証する。用紙属性設定部１０Ｂは、記憶部１１に記憶されている様々なストック情報又はテンポラリストック情報の中から、ユーザの指示があったものを指示されたトレイに設定し、又は、ユーザの指示に従って新規のストック情報又はテンポラリストック情報を追加作成して記憶部１１に記憶させる。
【００２２】
ここで、ストック情報とは、画像形成装置２の各トレイ２０Ａ〜２０Ｄにそれぞれ対応付けられ、対応するトレイに収納された用紙の属性情報（例えば、用紙サイズ、用紙カラー、坪量、コーティング種類等）をいう。なお、ストック情報は、管理者に削除されない限り、記憶部１１に記憶されている。また、管理者のみがトレイにストック情報を設定し、又は、新規のストック情報を追加作成できる。
【００２３】
テンポラリストック情報は、ストック情報と同様に構成されている。但し、テンポラリストック情報が記憶部１１に記憶される期間は限定されており、有効期間が経過すると、自動的に削除される。また、管理者でない認証されたユーザであっても、トレイにテンポラリストック情報を設定し、又は、新規のテンポラリストック情報を追加作成できる。
【００２４】
一方、図２に示す印刷ジョブ監視部１０Ｃは、画像形成装置２において処理される印刷ジョブの進行を監視する。一時用紙属性削除部１０Ｄは、有効期間が切れたテンポラリストック情報が存在する場合、当該テンポラリストック情報を削除する。表示制御部１０Ｅは、上記各部の動作に応じて表示部１Ｂに画像を表示する制御を行う。
【００２５】
記憶部１１は、制御部１０を上述した各部として動作させる用紙属性設定プログラムと、トレイ２０Ａ〜２０Ｄに収容される用紙にそれぞれ対応付けられたストック情報及びテンポラリストック情報と、を記憶する。
【００２６】
通信部１２は、画像形成装置２と通信するとともに、図示しない他の情報処理装置等と通信して印刷ジョブを受信する。
【００２７】
図３は、記憶部１１に記憶されているストック情報及びテンポラリストック情報の構成例を示す概略図である。ストック情報及びテンポラリストック情報は、トレイ２０Ａ〜２０Ｄのうちのいずれのトレイかを特定する「トレイ」と、各トレイに収容されることを想定された用紙の属性名である「用紙属性名」と、属性名ごとに設定された用紙の具体的な属性を示す「用紙属性」とを有する。「用紙属性」は、本実施形態では、例えば用紙サイズ（Ａ４、Ａ３、Ｂ５など）、用紙カラー（オフホワイト、ホワイトなど）、坪量（７０、７５、９０、９５、１３５［ｇ／ｍ２］など）、コーティング種類（コート、マットコートなど）が該当するが、これらに限定されるものではない。
【００２８】
例えばトレイＡについては、用紙属性名がそれぞれ「Ｓｔｏｃｋ Ａ１」、「Ｓｔｏｃｋ Ａ２」、「Ｓｔｏｃｋ Ａ３」であるストック情報と、用紙属性名が「Ｔｅｍｐｏｒａｒｙ  １」であるテンポラリストック情報と、が対応付けられている。
【００２９】
ストック情報Ｓｔｏｃｋ Ａ１、Ｓｔｏｃｋ Ａ２、Ｓｔｏｃｋ Ａ３は、画像形成システム１００の管理者によってのみ設定され、常時記憶されている。３つのストック情報のうち、１つのストック情報Ｓｔｏｃｋ Ａ１だけがトレイＡに設定され、他のストック情報Ｓｔｏｃｋ Ａ２、Ｓｔｏｃｋ Ａ３はトレイＡに設定可能な候補として記憶されている。
【００３０】
テンポラリストック情報Ｔｅｍｐｏｒａｒｙ  １は、管理者以外のユーザであっても設定が可能な、一時的に記憶されている情報である。テンポラリストック情報は、１つのトレイに対して１つだけ設定されており、ユーザによって編集可能である。
【００３１】
［テンポラリストック情報の作成］
図４は、テンポラリストック情報の作成ルーチンを示すフローチャートである。ステップＳ１では、認証部１０Ａは、個人認証でログインされたかを判定する。
【００３２】
図５は、個人認証ウインドウ３０を示す図である。ログインボタン３１が選択され、正確なパスワードが入力されると、認証部１０Ａは、ユーザが個人認証でログインしたと判定する。そして、ステップＳ２へ進む。
【００３３】
ステップＳ２では、用紙属性設定部１０Ｂは、テンポラリストック情報を作成して、ステップＳ３へ進む。テンポラリストック情報は、次のウインドウを介して入力された情報に基づいて作成される。
【００３４】
図６は、トレイ１についてのストックプロパティウインドウ４０を示す図である。ストックプロパティウインドウ４０は、ストックリストプルダウンボタン４１、作成ボタン４２を有している。作成ボタン４２が選択されると、新しいテンポラリストック情報を作成するためのウインドウが表示される。
【００３５】
図７は、新しいテンポラリストック情報を作成するためのセットアップウインドウ５０を示す図である。セットアップウインドウ５０は、テンポラリストック情報の名前が入力される名前入力ボックス５１、コメントが入力されるコメント入力ボックス５２、用紙種類を選択するための用紙種類プルダウンボタン５３、用紙のコーティングを選択するためのプルダウンボタン５４、パンチ穴の作成の有無を選択するためのプルダウンボタン５５を有している。
【００３６】
セットアップウインドウ５０は、更に、用紙サイズを選択するための用紙サイズプルダウンボタン５６、用紙の色を選択するための用紙色プルダウンボタン５７、紙の重さ（厚さ）を選択するためのボタン５８、用紙の縦向きを選択するチェックボタン５９Ｌ、用紙の横向きを選択するチェックボタン５９Ｓ、ＯＫボタン６０、キャンセルボタン６１を有している。そして、ユーザは、セットアップウインドウ５０を介して、テンポラリストック情報の設定内容を入力することができる。
【００３７】
ステップＳ３では、用紙属性設定部１０Ｂは、ステップＳ２で作成されたテンポラリストック情報を一時保存するかを判定する。具体的には、用紙属性設定部１０Ｂは、セットアップウインドウ５０のＯＫボタン６０が選択されたかを判定し、ＯＫボタン６０が選択された場合はステップＳ４へ進み、ＯＫボタン６０が選択されなかった場合（キャンセルボタン６１が選択された場合）はステップＳ２へ戻る。
【００３８】
ステップＳ４では、用紙属性設定部１０Ｂは、セットアップウインドウ５０を介して入力されたテンポラリストック情報を記憶部１１に記憶して、ステップＳ５へ進む。なお、テンポラリストック情報の格納先は、ハードディスクでもよいし、不揮発メモリであってもよい。
【００３９】
ステップＳ５では、用紙属性設定部１０Ｂは、テンポラリストック情報を図６に示すストックリスト４１ａに追加して、ステップＳ６へ進む。
【００４０】
ステップＳ６では、用紙属性設定部１０Ｂは、テンポラリストック情報を所定のウインドウに表示して、本ルーチンを終了する。
【００４１】
図８は、作成されたテンポラリストック情報を表示する個人認証ウインドウ３０を示す図である。同図に示すように、個人認証ウインドウ３０には、作成されたテンポラリストック情報に対応するアイコン３２が表示されている。
【００４２】
［テンポラリストック情報の開示］
図９は、テンポラリストック情報の開示ルーチンを示すフローチャートである。
【００４３】
ステップＳ１１では、認証部１０Ａは、個人認証でログインされたかを判定し、個人認証でログインされたと判定されると、ステップＳ１２へ進む。
【００４４】
ステップＳ１２では、用紙属性設定部１０Ｂは、テンポラリストック情報を複製するか否かを判定する。
【００４５】
図１０は、テンポラリストック情報を複製する場合のストックプロパティウインドウ４０を示す図である。ユーザの指示により、ストックプロパティウインドウ４０のストックリスト４１ａの中から所定のテンポラリストック情報が選択され、コピーボタン４２が選択されると、用紙属性設定部１０Ｂは、選択されたテンポラリストック情報を複製すると判定して、ステップＳ１３へ進む。
【００４６】
ステップＳ１３では、用紙属性設定部１０Ｂは、テンポラリストック情報の設定内容を変更するかを判定する。
【００４７】
図１１は、ステップＳ１３において表示されるコピーウインドウ８０を示す図である。コピーウインドウ８０は、複製チェックボックス８１ａ〜８１ｃ、設定変更ボックス８２ａ〜８２ｃ、開示チェックボックス８３ａ〜８３ｃ、開示範囲指定表示部８４ａ〜８４ｃ、ＯＫボタン８５、キャンセルボタン８６を有している。
【００４８】
ユーザの指示により、設定変更ボックス８２ａ〜８２ｃのいずれかが選択されると、選択されたものに対応するテンポラリストック情報の設定内容を変更するためのウインドウ、例えば図７に示すセットアップウインドウ５０が表示される。
【００４９】
そして、セットアップウインドウ５０を介して、テンポラリストック情報の変更内容が入力され、ＯＫボタン６０が選択されると、ステップＳ１４へ進む。
【００５０】
ステップＳ１４では、用紙属性設定部１０Ｂは、セットアップウインドウ５０を介して新たに入力された情報、すなわちテンポラリストック情報の変更内容を記憶部１１に保存して、ステップＳ１５へ進む。
【００５１】
ステップＳ１５では、用紙属性設定部１０Ｂは、設定したテンポラリストック情報を開示するかを判定する。具体的には、用紙属性設定部１０Ｂは、図１１のコピーウインドウ８０の開示チェックボックス８３ａ〜８３ｃのいずれかにチェックが入っているかを判定し、それらのいずれかにチェックが入っている場合は、テンポラリストック情報を開示すると判定して、ステップＳ１６に進む。なお、開示チェックボックス８３ａ〜８３ｃのいずれかにチェックが入っていない場合、ステップＳ１８へ進む。
【００５２】
ステップＳ１６では、用紙属性設定部１０Ｂは、開示範囲を変更するかを判定する。
【００５３】
図１２は、ステップＳ１６で表示される開示範囲設定ウインドウ９０を示す図である。開示範囲設定ウインドウ９０は、ログイン可能なユーザ全員に対して開示することを示す全員開示チェックボタン９１、開示範囲（開示するユーザ）を指定する開示範囲指定ボタン９２と、開示するユーザを選択するためのプルダウンボタン９３〜９７、ＯＫボタン９８、キャンセルボタン９９を有している。
【００５４】
全員開示チェックボタン９１がチェックされた場合は、当該テンポラリストック情報は、認証されたユーザ全員に開示される。また、開示範囲指定ボタン９２がチェックされた場合、プルダウンボタン９３〜９７が選択されプルダウンメニューが現れると、当該プルダウンメニューの中から選択されたユーザのみにテンポラリストック情報が開示される。そして、ＯＫボタン９８が選択されると、用紙属性設定部１０Ｂは、開示範囲を変更すると判定し、ステップＳ１７に進む。
【００５５】
ステップＳ１７では、用紙属性設定部１０Ｂは、テンポラリストック情報の変更された開示範囲を保存して、ステップＳ１８へ進む。
【００５６】
ステップＳ１８では、用紙属性設定部１０Ｂは、開示されたテンポラリストック情報を取り込み、使用できる状態にするかを判定する。
【００５７】
図１３は、ステップＳ１８で表示されるストックプロパティウインドウ４０を示す図である。同図に示すように、ストックリスト４１ａには、新たに開示されたテンポラリストック情報（Ｃｏｐｙ〜Ｂｌｕｅ  Ｓｔｏｃｋ）が追加されている。
【００５８】
用紙属性設定部１０Ｂは、ストックリスト４１ａの中から新たに開示されたテンポラリストック情報（Ｃｏｐｙ〜Ｂｌｕｅ  Ｓｔｏｃｋ）が選択されかつＯＫボタン４３が選択されたかを判定し、肯定判定の場合は、新たに開示されたテンポラリストック情報を取り込み、使用できる状態にすると判定して、ステップＳ１９へ進む。
【００５９】
一方、ストックリスト４１ａの中から新たに開示されたテンポラリストック情報（Ｃｏｐｙ〜Ｂｌｕｅ  Ｓｔｏｃｋ）が選択されかつＯＫボタン４３が選択されてない場合は、新たに開示されたテンポラリストック情報と取り込む必要はないので、本ルーチンを終了する。
【００６０】
ステップＳ１９では、用紙属性設定部１０Ｂは、テンポラリストック情報を書き換えて、記憶部１１に保存して、本ルーチンを終了する。
【００６１】
図１４は、テンポラリストック情報の開示ルーチンの実行により構成されたテーブルを示す図である。このテーブルは、上記ルーチンが実行されると記憶部１１に記憶される。このテーブルは、テンポラリストック情報の名前である「テンポラリストック名」、用紙サイズ等の具体的な用紙の属性を示す「登録内容」、当該テンポラリストック情報を作成したユーザの暗証番号である「認証情報」、開示するか否かを示す「開示」を有している。なお、このテーブルは、図３に示す情報に組み込まれてもよい。
【００６２】
［テンポラリストック情報を使用する場合］
次に、ユーザが他のユーザによって作成され開示されたテンポラリストック情報を使用する場合について説明する。なお、すべてのユーザは認証処理が必要であるが、以下では、ユーザ認証処理後の手順について説明する。
【００６３】
図１５は、テンポラリストック情報を使用する設定を行うためのストックプロパティウインドウ４０を示す図である。ストックリストプルダウンボタン４１が選択されると、ストックリスト４１ａが表示される。ストックリスト４１ａの中には、他のユーザによって新たに開示されたテンポラリストック情報（Ｃｏｐｙ〜Ｂｌｕｅ  Ｓｔｏｃｋ）が含まれている。
【００６４】
このテンポラリストック情報（Ｃｏｐｙ〜Ｂｌｕｅ  Ｓｔｏｃｋ）は、他のユーザによって作成されたものであり、当該他のユーザによって開示範囲に設定されたユーザに対してのみ表示される。また、このテンポラリストック情報（Ｃｏｐｙ〜Ｂｌｕｅ  Ｓｔｏｃｋ）は、他のテンポラリストック情報と区別できるように、他のテンポラリストック情報の背景と異なる色の背景で表示される。なお、このテンポラリストック情報（Ｃｏｐｙ〜Ｂｌｕｅ  Ｓｔｏｃｋ）はそのまま使用できないように設定されている。そのため、テンポラリストック情報を利用したいユーザは、このテンポラリストック情報を複製する必要がある。
【００６５】
そして、ストックリスト４１ａの中からテンポラリストック情報（Ｃｏｐｙ〜Ｂｌｕｅ  Ｓｔｏｃｋ）が選択され、コピーボタン４２が選択されると、コピーウインドウ８０が表示される。
【００６６】
図１６は、テンポラリストック情報を使用する設定を行うためのコピーウインドウ８０を示す図である。ここでは、ユーザは、複製チェックボックス８１ａ〜８１ｃのいずれかを選択することによって複製するトレイ（テンポラリストック情報）を選択できる。また、ユーザは、設定変更ボックス８２ａ〜８２ｃを選択して設定内容を変更してもよいし、開示チェックボックス８３ａ〜８３ｃを選択して開示範囲を設定しもよい。
【００６７】
そして、ＯＫボタン８５が選択され、対象となるトレイ（本実施形態ではトレイ１）に対して既にテンポラリストック情報が存在する場合は、その旨を示すウインドウが表示される。なお、トレイ１に対してテンポラリストック情報が存在していない場合は、設定されたテンポラリストック情報はそのまま保存される。
【００６８】
図１７は、トレイ１に対して既にテンポラリストック情報が存在することを示すポップアップウインドウ９０を示す図である。ここで、既に存在するテンポラリストック情報とは、図１５に示すストックリスト４１ａのテンポラリストック情報（Ｃｏｐｙ〜Ｂｌｕｅ  Ｓｔｏｃｋ）である。
【００６９】
ユーザは、図１６に示すコピーウインドウ８０を介して設定されたテンポラリストック情報を、テンポラリストック情報（Ｃｏｐｙ〜Ｂｌｕｅ  Ｓｔｏｃｋ）に上書きする場合はＯＫボタン９１を選択し、上書きしない場合はキャンセルボタン９２を選択する。
【００７０】
キャンセルボタン９２が選択された場合は、図１５に示すコピーウインドウ８０が再び表示され、ユーザによる再設定が行われる。ＯＫボタン９１が選択された場合は、次のストックプロパティウインドウ４０が表示される。
【００７１】
図１８は、テンポラリストック情報が上書きされた状態を示すストックプロパティウインドウ４０を示す図である。ここでは、ストックリスト４１ａが表示されると、ストックリスト４１ａの中には、テンポラリストック情報（Ｃｏｐｙ〜Ｂｌｕｅ  Ｓｔｏｃｋ）の代わりに、上書きしたテンポラリストック情報（Ｂｌｕｅ  Ｓｔｏｃｋ）が表示されている。
【００７２】
図１８のストックリスト４１ａにあるテンポラリストック情報は、図１に示す画像形成装置２のトレイ２０Ａ〜２０Ｄのいずれかに設定可能となる。そして、画像形成装置２のトレイ２０Ａ〜２０Ｄのいずれかにテンポラリストック情報が設定され、印刷ジョブが実行される。
【００７３】
［他の実施の形態］
なお、本発明は、上記実施の形態に限定されず、本発明の趣旨を逸脱しない範囲で種々な変形が可能である。例えば、ユーザに限らず、管理者もテンポラリストック情報を設定できる構成にしてもよい。
【００７４】
また、上記実施の形態で使用される認証部１０Ａと、用紙属性設定部１０Ｂと、印刷ジョブ監視部１０Ｃと、一時用紙属性削除部１０Ｄと、表示制御部１０Ｅとは、ＣＤ−ＲＯＭ等の記憶媒体から装置内の記憶部１１に読み込んでも良く、インターネット等のネットワークに接続されているサーバ装置等から装置内の記憶部１１にダウンロードしてもよい。また、上記実施の形態の制御部１０の各部の一部または全部をＡＳＩＣ等のハードウェアによって実現してもよい。
【符号の説明】
【００７５】
１  情報処理装置
１Ｂ  表示部
２  画像形成装置
１０  制御部
１０Ａ  認証部
１０Ｂ  用紙属性設定部
１１  記憶部
１２  通信部
【図１】
0005440023.tif 000002
【図２】
0005440023.tif 000003
【図３】
0005440023.tif 000004
【図４】
0005440023.tif 000005
【図５】
0005440023.tif 000006
【図６】
0005440023.tif 000007
【図７】
0005440023.tif 000008
【図８】
0005440023.tif 000009
【図９】
0005440023.tif 000010
【図１０】
0005440023.tif 000011
【図１１】
0005440023.tif 000012
【図１２】
0005440023.tif 000013
【図１３】
0005440023.tif 000014
【図１４】
0005440023.tif 000015
【図１５】
0005440023.tif 000016
【図１６】
0005440023.tif 000017
【図１７】
0005440023.tif 000018
【図１８】
0005440023.tif 000019